(57)【要約】【課題】るつぼを倒立回転させて真空溶解した金属の溶湯を鋳型に出湯する回転出湯式鋳造装置の小型化を図る。【解決手段】水冷金属るつぼ１の外側にコイル２を備え、倒立回転により上面の開口３から出湯する浮揚溶解炉４と、開口３に湯口５が対向するようにるつぼ１の上面に連結される鋳型６と、るつぼ１及び鋳型６を真空排気する真空排気系統とからなる鋳造装置において、るつぼ１とコイル２との間に密閉容器１３を配置してるつぼ１を密閉し、このるつぼ１に密閉容器１６により密閉した鋳型６を気密に連結する。浮揚溶解炉４及び鋳型６の全体を密閉容器に収容するのではなく、浮揚溶解炉４はるつぼ１のみを密閉容器１３で密閉し、このるつぼ１に鋳型を気密に連結してるつぼ１及び鋳型６の密閉を図ることにより、密閉容器１３，１６の容積を必要最小限にして装置を小型化することができる。【選択図】      図１
2005153002.tif 000002
【特許請求の範囲】
【請求項１】
上面が開口した水冷金属るつぼの外側にコイルを備え、倒立回転により前記開口から出湯する浮揚溶解炉と、前記開口に湯口が対向するように前記水冷金属るつぼの上面に連結される鋳型と、前記水冷金属るつぼ及び鋳型の内部を真空排気する真空排気系統とからなり、前記コイルに通電して前記水冷金属るつぼ内の金属を浮揚溶解し、次いで前記浮揚溶解炉を倒立回転させて溶湯を前記鋳型に鋳込む回転出湯式鋳造装置において、
前記水冷金属るつぼとコイルとの間に密閉容器を配置して前記水冷金属るつぼを密閉し、この水冷金属るつぼに密閉容器により密閉した鋳型を気密に連結するようにしたことを特徴とする回転出湯式鋳造装置。
【請求項２】
前記コイルに通電したまま前記浮揚溶解炉及び鋳型を倒立回転させることを特徴とする請求項１記載の回転出湯式鋳造装置。
【請求項３】
前記水冷金属るつぼ及び通気性を有する前記鋳型の内部をそれぞれ個別に真空排気する第１及び第２の真空排気系統を設け、前記金属の溶湯を前記鋳型に鋳込む際に、前記第１真空排気系統の真空排気を停止し、前記第２真空排気系統の真空排気を実施することを特徴とする請求項１記載の回転出湯式鋳造装置。
【請求項４】
真空排気した前記水冷金属るつぼ及び鋳型を不活性ガスで置換する加圧系統を設け、この加圧系統により、前記溶湯を前記鋳型に鋳込む際に前記水冷金属るつぼの内部を加圧することを特徴とする請求項３記載の回転出湯式鋳造装置。
【請求項５】
前記溶湯を鋳込んだ前記鋳型を前記浮揚溶解炉と一体に回転させて遠心鋳造を行うようにしたことを特徴とする請求項１記載の回転出湯式鋳造装置。
【発明の詳細な説明】
【技術分野】
【０００１】
この発明は、精密鋳造が要求される歯科医療用の金属性生体代替材料や装飾・工業分野での高融点活性金属合金の溶製・鋳造に用いられる鋳造装置に関する。
【背景技術】
【０００２】
歯科医療用の鋳造材料は、高度な安全性、生体親和性、長期にわたる信頼性の要求等から、従来から金合金（12％金‐パラジウム‐銀合金）で代表される高価な金属材料が使用されている。これらの鋳造材料は融点が1300℃以下と比較的低く比重も小さいため、その溶製には従来の抵抗加熱溶解法でも十分に対応することができた。また、装飾・工業用の高融点金属においても、合金化を要求されない単一金属の場合はアーク加熱溶解法で対応することができた。この種の歯科医療用の鋳造装置については、例えば特許文献１に記載されている。
【０００３】
一方、昨今、歯科医療用材料として、高価な金合金に代わって、合理的な価格でありながら人体に対して安全で生体適合性の高いチタン系合金の適用が注目されている。しかし、この新しいチタン系合金は、生体適合性を持たせるためにTaやNbなど、融点が3000℃前後と高温で、密度差もTiの4.5g/cm3に対して20 g/cm3前後ときわめて大きい高融点活性金属を合金元素とする必要があり、従来の抵抗加熱やアーク加熱では溶解できず、また均一な合金化ができないという問題がある。
【０００４】
その場合、高融点活性金属の合金化には、いわゆる浮揚溶解法が適している。浮揚溶解法は、コイルを巻いた水冷金属るつぼに金属を入れ、コイルに高周波電流を流すもので、るつぼ内に発生する交番磁界により金属にコイル電流と逆向きの渦電流が生じ、金属内のジュール熱で金属が溶解し、かつ両電流間の電磁反発力で金属が浮揚する。浮揚溶解法は融点が3000℃前後ときわめて高い活性金属元素も溶解可能であり、しかも密度差の大きい溶融合金も強力な電磁力で攪拌されるため均質化される。また、金属はるつぼと非接触の状態で溶解されるため、るつぼからの不純物による汚染が少ない。この浮揚溶解法を用いた溶解炉（浮揚溶解炉）については、例えば特許文献２に記載されている。
【０００５】
図３は、上記した浮揚溶解法を用いた回転出湯式鋳造装置の従来構成を示す概略縦断面図である。図３において、鋳造装置は、上面が開口した水冷金属るつぼ（以下、単に「るつぼ」という。）１の外側にコイル２を備え、倒立回転により開口３から出湯する浮揚溶解炉４と、開口３に湯口５が対向するようにるつぼ１の上面に連結される鋳型６と、るつぼ１及び鋳型６を真空排気する真空排気系統７とからなっている。すり鉢状のるつぼ１は図示しないスリットにより分割された多数の銅のセグメントからなり、図示しない冷却パイプを流れる冷却水により冷却される。鋳型６は通気性の鋳型材（埋没材）からなり、ロストワックス法により鋳込み空間８が形成されている。るつぼ１及び鋳型６は全体が密閉容器９に組み込まれ、真空排気系統７によりるつぼ底部から真空排気される。
【０００６】
図３の鋳造装置において、溶解金属１０をるつぼ１に装填したら、真空排気系統７の図示しない真空ポンプを運転し、るつぼ１及び鋳型６を真空排気する。次いで、高周波電源１１からコイル２に通電し、金属１０を浮揚溶解する。すでに知られる通り、コイル２に高周波電流を流すと、るつぼ１及び金属１０に渦電流が誘導され、これらの電流の間に電磁反発力が発生する。このとき、電磁反発力が金属１０の重量よりも大きければ、金属１０はるつぼ１から離れて浮揚する。同時に渦電流によるジュール熱で金属１０は溶解する。金属１０が溶解したら、密閉容器９を含めた鋳造装置全体を電源導入端子２１を中心とする水平軸１２を支点に１８０度回転させ、浮揚溶解炉４及び鋳型６を倒立させる。これにより、るつぼ内の溶解金属１０は鋳型６に出湯され、湯口５から鋳込み空間８に鋳込まれる。図４は、回転倒立した鋳造装置を示している。
【特許文献１】特開２０００−１７６６２９号公報
【特許文献２】特開平１０−３８４６８号公報
【発明の開示】
【発明が解決しようとする課題】
【０００７】
ところが、図３に示したような従来の回転出湯式鋳造装置には、下記の問題点がある。
(1)  密閉容器に浮揚溶解炉と鋳型の全体を組み込んで真空排気しているが、密閉容器の容積が大きいため、真空排気の応答性が悪い。ちなみに、るつぼは銅セグメント間のスリットを介して密閉容器内に通じており、鋳型は通気性の鋳型材を介して密閉容器内に通じているため、真空排気は密閉容器内の全空間に対して行うことになる。
(2)  容積の大きい密閉容器を回転させるため、回転操作性が悪く、また大きな設置スペースを必要とする。
(3)  コイルが真空雰囲気の密閉容器内に収容されるため、通電中に真空放電が発生する可能性があり、コイル電圧を真空放電の危険のない大きさに制限する必要がある。
(4)  真空排気系統が一系統のため、鋳込み時に鋳型内を単独で真空引きすることができず、るつぼ側との差圧により溶湯を鋳込み空間に押し込むことができない。
(5)  密閉容器内の気密性が確保できる電源導入端子が必要となることから、装置の構造が複雑で高価なものになる。
【０００８】
この発明は上記問題に対処し、装置を簡略・小型及び安価にするとともにコイルの真空放電の危険をなくし、併せて鋳込み品質を高めることにある。
【課題を解決するための手段】
【０００９】
上記課題を解決するために、この発明は、上面が開口した水冷金属るつぼの外側にコイルを備え、倒立回転により前記開口から出湯する浮揚溶解炉と、前記開口に湯口が対向するように前記水冷金属るつぼの上面に連結される鋳型と、前記水冷金属るつぼ及び鋳型を真空排気する真空排気系統とからなり、前記コイルに通電して前記水冷金属るつぼ内の金属を浮揚溶解し、次いで前記浮揚溶解炉を倒立回転させて溶湯を前記鋳型に鋳込む回転出湯式鋳造装置において、前記水冷金属るつぼとコイルとの間に密閉容器を配置して前記水冷金属るつぼを密閉し、この水冷金属るつぼに密閉容器により密閉した鋳型を気密に連結するようにするものとする（請求項１）。
【００１０】
請求項１の発明は、浮揚溶解炉及び鋳型の全体を密閉容器に収容するのではなく、浮揚溶解炉はるつぼのみを密閉容器で密閉し、このるつぼに密閉容器により密閉した鋳型を気密に連結してるつぼ及び鋳型の密閉を図る。これにより密閉容器が小型化して容積が必要最小限となり、るつぼ内と鋳型内の雰囲気制御（真空排気や加圧制御）の応答性が高まるとともに、回転操作が容易になり、設置スペースも節減される。また、コイルは密閉容器の外部に出るため大気圧下となり、るつぼ内と鋳型内を真空排気した場合にも真空放電の危険がなくなるとともに、密閉容器への電源導入端子部分に気密性を必要としなくなるため、装置の構造が簡略化される。
【００１１】
請求項１の発明において、前記浮揚溶解炉及び鋳型の倒立回転は前記コイルに通電したまま行うようにするのがよい（請求項２）。これにより、倒立回転時の溶湯温度の低下を防ぐことができる。
【００１２】
請求項１の発明において、前記水冷金属るつぼ及び通気性を有する鋳型の内部をそれぞれ個別に真空排気する第１及び第２の真空排気系統を設け、前記金属の溶湯を前記鋳型に鋳込む際に、前記第１真空排気系統の真空排気を停止し、前記第２真空排気系統の真空排気を実施するようにするとよい（請求項３）。るつぼと鋳型の真空排気系統をそれぞれ独立させ、鋳込み時にはるつぼ側の第１真空排気系統の真空排気を停止し、鋳型側の第２真空排気系統の真空排気を実施することにより、るつぼと鋳型との間に差圧を発生させ、この差圧で溶湯を鋳込み空間に押し込んで緻密な鋳造を行うことができる。
【００１３】
請求項３の発明において、真空排気した前記水冷金属るつぼ及び鋳型の内部を不活性ガスで置換する加圧系統を設け、この加圧系統により、前記溶湯を前記鋳型に鋳込む際に前記水冷金属るつぼの内部を加圧するようにするとよい（請求項４）。真空排気したるつぼ及び鋳型を不活性ガスで置換することにより、より確実な酸素遮断雰囲気で金属を溶解させることができるとともに、鋳込み時に不活性ガスの加圧系統でるつぼ側を加圧することにより、鋳型側との間の差圧をより大きくして、鋳込み品質を一層高めることができる。
【００１４】
請求項１の発明において、前記溶湯を鋳込んだ前記鋳型を前記浮揚溶解炉と一体に回転させて遠心鋳造を行うようにするとよい（請求項５）。これにより、一層緻密な鋳造が可能になる。
【発明の効果】
【００１５】
この発明によれば、酸素遮断雰囲気で金属を溶解し、るつぼ及び鋳型の倒立回転により溶解金属を鋳型に出湯する回転出湯式鋳造装置において、真空排気及び不活性ガス置換のための密閉容器を小型化して真空排気や加圧の応答性を高め、回転操作性を良好とし、設置スペースを節減することができる。また、コイルを大気圧下に置いて、真空放電の危険をなくすとともに装置を簡略化することができる。更に、鋳込み時のるつぼ側と鋳型側との間の差圧を高め、湯回りを良好にして鋳造品質を高めることができる。
【発明を実施するための最良の形態】
【００１６】
図１は、この発明の実施の形態を示す回転出湯式鋳造装置の概略縦断面図、図２はその倒立回転状態を示す図である。なお、従来例と対応する部分には同一の符号を用いるものとする。図１において、円筒状のるつぼ１はコイル２との間に配置された密閉容器１３により周囲が密閉されている。密閉容器１３は底付き円筒状で非金属材、例えばFRP（繊維強化プラスチック）からなり、円柱状のるつぼ１に下から被嵌されている。なお、るつぼ１は円筒外周面の上下端部を残して中間部が逃げ加工され、上下端部のみが密閉容器１３に密着することにより密閉性が高められている。るつぼ１の底部には密閉容器１３を貫通して、るつぼ内を真空排気する第１真空排気系統１４及びるつぼ内をアルゴンなどの不活性ガスで置換する第１加圧系統１５が接続されている。
【００１７】
また、円柱状の鋳型６は、密閉容器１６により周囲が密閉されている。密閉容器１６は下部フランジ付の帽子状で、鋳型６を通して溶湯からの輻射熱を受けるため、例えばステンレス板などの非磁性金属材からなり、下部フランジを介してるつぼ１にねじにより、図示しないパッキンを挟んで気密に連結されている。通気性の鋳型６の上面及び外周面と密閉容器１６との間には通気空間１７及び１８があけられ、上部通気空間１７に通じるように、鋳型内を真空排気する第２真空排気系統１９及び鋳型内を不活性ガスで置換する第２加圧系統２０が接続されている。鋳型６の上面外縁部には複数個の突起６ａが設けられており、鋳型６は密閉容器１６により、突起６ａを介してるつぼ１の上面に押し付けられて固定されている。
【００１８】
るつぼ１に溶解金属１０を装填したら、第１及び第２真空排気系統１４，１９によりるつぼ１及び鋳型６を真空排気する。また、不活性ガス雰囲気とする場合には、第１及び第２加圧系統による不活性ガスの封入操作を行い、るつぼ１及び鋳型６を所定レベルの酸素遮断雰囲気（真空雰囲気又は不活性ガス雰囲気）にする。次いで、高周波電源１１からコイル２に高周波電流を供給し、るつぼ１内の金属１０を浮揚状態で溶解させ溶湯とする。金属１０が溶解したら、真空雰囲気の場合は直ちに、また不活性ガス雰囲気の場合は第１及び第２真空排気系統１４，１９による不活性ガスの排気の後、るつぼ１を鋳型６と一体に水平軸１２の回りに１８０度回転させ、図２に示すように倒立させる。その場合、コイル２は通電したままとして、溶湯の温度低下を防止する。
【００１９】
上記倒立回転の際、溶湯が湯口５に到達したら、又はその到達の直前に、真空雰囲気による溶解（真空溶解）の場合は第２真空排気系統１９により鋳型６の真空排気を開始する。これにより、るつぼ１と鋳型６との間に差圧が生じ、この差圧により溶湯が鋳込み空間８に押し込まれて湯回りを良好になる。また、上記した鋳型６の真空排気の開始と同時に、第１加圧系統１５から不活性ガスを送入しるつぼ１を加圧するとよい。それにより上記した差圧が大きくなり、湯回りがより良好になる。鋳込み終了後、コイル２の通電、真空排気、不活性ガスによる加圧等を停止し、鋳込み金属を冷却する。
【００２０】
図示実施の形態において、るつぼ１の密閉容器１３はコイル２の内側に配置され、るつぼ１には密閉容器１３により密閉された鋳型６が気密に連結されている。そのため、密閉容器１３，１６の容積が縮小し、図示実施の形態における真空・加圧空間は実質的にるつぼ１及び鋳型６の内部空間に限られる。その結果、真空排気及び加圧の応答性が速くなり、鋳造の所要時間が短縮される。また、コイル２は真空雰囲気外に置かれ、真空放電の危険がなくなるので、コイル電圧の高圧化による溶解時間の短縮が可能になるとともに、コイル２に対する電源導入端子部分を気密にする必要がないので密閉容器１３の構造が簡略化される。更に、密閉容器１３，１６が小型化されるため、設置スペースが縮小するとともに回転倒立操作が容易になる。
【００２１】
一方、るつぼ１及び鋳型６にはそれぞれ独立に第１及び第２の真空排気系統１４，１９が設けられている。そこで、鋳込み時にはるつぼ側の真空排気を停止し、鋳型側の真空排気を実施することにより、るつぼ１と鋳型６との間に差圧を発生させ、この差圧により溶湯を鋳込み空間に押し込んで緻密な鋳造を行うことができる。また、その際、第１加圧系統１５からるつぼ１に不活性ガスを送入して加圧することにより、上記差圧を増大させ、鋳造品質をより高めることができる。
【００２２】
なお、真空排気は溶解中も継続し、溶解後の倒立回転の際にるつぼ１の真空排気のみを停止し、鋳型６の真空排気を引き続き継続するようにしてもよい。また、溶湯を鋳込んだ鋳型６は浮揚溶解炉４と一体に垂直軸の周りに回転させて遠心鋳造を行うことができ、それにより一層緻密な鋳造が可能になる。
【図面の簡単な説明】
【００２３】
【図１】この発明の実施の形態を示す回転出湯式鋳造装置の縦断面図である。
【図２】図１の回転出湯式鋳造装置を倒立回転させた状態の図である。
【図３】従来の回転出湯式鋳造装置示を示す縦断面図である。
【図４】図３の回転出湯式鋳造装置を倒立回転させた状態の図である。
【符号の説明】
【００２４】
１    水冷金属るつぼ
２    コイル
３    開口
４    浮揚溶解炉
５    湯口
６    鋳型
８    鋳込み空間
１３    密閉容器
１４    第１真空排気系統
１５    第１加圧系統
１９    第２真空排気系統
２０    第２加圧系統
【図１】
2005153002.tif 000003
【図２】
2005153002.tif 000004
【図３】
2005153002.tif 000005
【図４】
2005153002.tif 000006